(57)【要約】      （修正有）【課題】吊り物の上げ下げの操作が簡単で、任意の位置で係止できる昇降チェーンストッパーを提供する。【解決手段】昇降チェーンストッパーの本体１ａを天井下部等に固定したレール２２の端部にネジ２３で取付け固定し、吊り物である物干し用の竿１７が吊り下げられたチェーン６ｂ、６ｃを上部のレール２２で支持し、チェーン６ｂ、６ｃの一方の端を連結ブロック１４で連結固定し、該連結ブロック１４にチェーン６ａの一方を連結させるとともに他方側を本体１ａを通し垂下させて、チェーン６ａの引き出し又は引き戻しによる連れ動きにより、本体１ａのスライダーに設けた凸部が作動して解除と係止ができる。【選択図】図１
2006000628.tif 000002
【特許請求の範囲】
【請求項１】
物干し用の竿等、吊り物の上げ下げを任意の位置で止めることができる昇降チェーンストッパーであって、下方と上部側方と上部を開口した本体内部の上方位置に設けたＲ部に、本体の上部側方よりチェーンを導入し垂下させ、前記Ｒ部の下方側に傾斜溝とスライダーを設け、前記スライダーは傾斜溝に沿って斜め上下移動自在に支持し、前記上部側方から導入したチェーンとの間には前記スライダーを連れ動きさせる凸部を設け、本体下方から垂下しているチェーンを手で引き操作し、前記物干し用の竿等、吊り物の上げ下げができ任意の位置で係止と解除の作動を容易にすることを特徴とした昇降チェーンストッパー。
【請求項２】
上記機能を備えた昇降チェーンストッパーであって、スライダーに設けた凸部は、正面視、水平、又は、右肩下がりの下向きに角度を付け、チェーンの連結間の穴部に挿入され、前記スライダーが前記チェーンに連れ動きすることを特徴とした請求項１記載の昇降チェーンストッパー。
【請求項３】
上記機能を備えた昇降チェーンストッパーであって、ボールチェーンを使用し、スライダーに設けた凸部は、正面視、水平、又は、右肩下がりの下向きに角度を付け、凸部を二溝とし、ボールチェーンのボールとボールの連結間の連結軸に挿入し作動を確保した請求項１、請求項２記載の昇降チェーンストッパー。
【発明の詳細な説明】
【技術分野】
【０００１】  この発明は、例えば、一般家庭の屋内、又は、屋外等に設置し、洗濯物干しなどの竿、ハンガー等の、上げ下げを手動で調整し、任意の位置で係止と解除をできるようにした昇降チェーンストッパーに関する。
【背景技術】
【０００２】  従来の昇降コードストッパーには、昇降式のカーテン、ブラインド、スクリーン等の開閉、及びこれを任意の開閉位置で停止させる物等があるが、屋外、又は、屋内で物干し等の吊り物の上げ下げを簡単にできるものがない。又、従来は、天井に固定した金具にフック等、又は、紐等をぶら下げハンガー等をセットし洗濯物を吊り下げる方法が一般的である。又は紐を手で手繰り吊り上げる方法等があるが、いずれも吊りの上げ下げの調整が簡単にできない。【０００３】
【特許文献１】特開平４−２４２６１３
【特許文献２】特開  ２００３−２４２０８
【特許文献３】特開平２００２−９５８９３
【特許文献４】特開平２００３−２１０８９５
【特許文献５】特開平８−８９６
【非特許文献６】室内物干しユニット  ホシ姫サマ  カタログ（松下電工）９〜１２ページ記載。
従来は上げ下げができ任意の位置で停止させるものでは下記のもの等がある。
従来のローマンシエード等の昇降コードストッパーでは昇降コードの摩擦抵抗を減少してスクリーンの降下を円滑にするもの等がある。（特許文献１参照）。
又、昇降コードストッパーには昇降式のカーテン、ブラインド、スクリーン等の開閉、及びこれを任意の開閉位置で停止させるという基本的な機能に加えて、操作が簡単且つ確実で安価に製造できるものがある。（例えば特許文献２参照）。何れも、コードを使用したものであり、チェーンを使用した場合は使用できない。
従来の室内物干しの中に「室内物干し装置」（例えば、特許文献３参照）、「室内用物干し具」（例えば、特許文献４参照）、「室内物干し装置」（例えば、特許文献５参照）等がある。
以下、従来技術としての「室内物干し装置」（例えば、特許文献３参照）について説明する。
本体の下部の開口部にその一側端縁部に配置された回動軸を中心として回動可能とされ、自重により下方に回動する蓋が配置され、この蓋の裏面部に、物干し竿の下方からの係合が可能とされたフックが立設されるものであって、吊りの上げ下げの調整はできない。
又、「室内用物干し具」（例えば、特許文献４参照）は天井等に一対の支持部材を固着し、該支持部材に内蔵されたフック、該フック共に支持部材に併設されたプッシュボタンからなり、プッシュボタンを押すことでフックが部屋内側に突出し、該フックに吊掛棒をそれぞれ懸架して、該吊掛棒間に物干し竿を懸架する室内用物干し具。これはフックのしまい込みはできるが、吊りの上げ下げの調整はできない。又、「室内物干し装置」（例えば、特許文献５参照）は室内の窓上方の壁面に固着されたベースに一対のアームを対向させて各端部を軸着し、両アームに物干し竿を係止する係止部を設けた室内物干し装置を用いる。等が公知である。これもアームのしまい込みはできるが吊りの上げ下げの調整はできない。
又、室内物干しユニット  ホシ姫サマ  カタログ（非特許文献６参照）の手動シリーズは、吊りの上げ下げの調整ができるが取付け工事が必要であり、一般家庭で手軽に取付けることができない。
【発明の開示】
【発明が解決しようとする課題】
【０００４】  上記のように従来のローマンシエード等の昇降コードストッパーでは昇降コードの摩擦抵抗を減少してスクリーンの降下を円滑にするもの等がある。（特許文献１参照）。
又、昇降コードストッパーには昇降式のカーテン、ブラインド、スクリーン等の開閉、及びこれを任意の開閉位置で停止させるという基本的な機能に加えて、操作が簡単且つ確実で安価に製造できるものがある。（例えば特許文献２参照）。何れも、コードを使用したものであり、チェーンを使用した場合は使用できない。
又、「室内物干し装置」（例えば、特許文献３参照）、「室内用物干し具」（例えば、特許文献４参照）、「室内物干し装置」（例えば、特許文献５参照）等のように室内の適当な場所、窓枠の上部、又は、天井から懸架したフック等に、紐等をぶら下げ竿等をセットし、洗濯物を吊り下げる方法が一般的である。いずれも吊り上下の調整をすることができず、人が通る通路も確保するのも邪魔で雑然となりがちである。又、室内物干しユニット  ホシ姫サマ  カタログ（非特許文献６参照）は、吊りの上げ下げの調整ができるが取付け工事が必要であり、一般家庭で手軽に取付けることができない。本発明はこれらの欠点を解決するために発明されたものである。
【課題を解決するための手段】
【０００５】  以上の目的を達成するために、本発明品の請求項１の昇降チェーンストッパーは、物干し用の竿１７等、吊り物の上げ下げを任意の位置で止めることができる昇降チェーンストッパーであって、対称の本体１ａ、１ｂを組合せ、（以下本体１ａで説明する。）ビス８ａとビス８ｂと固定具２１で固定し、下方１０ｂと上部側方１０ａと上部１０ｄを開口し、下方１０ｃとチェーン誘導部７を設けた本体１ａを天井下部に固定したレール２２の端部にネジ２３で取付け固定される。物干し用の竿１７等、吊り物は、その上部をレール２２に支持され、ネジ２３で固定されたブラケット９ｂに取付けたプーリー２ｂと、ネジ２３で固定されたブラケット９ｃに取付けたプーリー２ｃの下部に、チェーン６ｂとチェーン６ｃに、連結リング１１ｂとフック１８ｂと、連結リング１１ｃとフック１８ｃを設け、吊り下げられており、チェーン６ｂの他方側を中間のチェーン受け１６ａに通し、チェーン６ｂとチェーン６ｃの一方の端を連結ブロック１４で連結固定しそこにチェーン６ａの一方を連結させ他方側をチェーン受け１６ｂに通し上部側方１０ａから本体１ａ内部のＲ部３に通し垂下させ、本体１ａ下方１０ｃから引き出されたチェーン６ａの一部にストッパーｌ５を設け、下方に握り玉１２と連結リング１１ａとクリップ１３を取付けて、前記Ｒ部３の下方側に傾斜溝４とスライダー５ａを設け、前記スライダー５ａは前記傾斜溝４に沿って斜め上下移動自在に支持し、前記上部側方１０ａから導入したチェーン６ａとの間には前記スライダー５ａを連れ動きさせる凸部５ｂを設け本体１ａの下方１０ｃから垂下している前記チェーン６ａに取付けた前記握り玉１２を手で下方に引くと前記スライダー５ａに設けた、前記凸部５ｂが、前記チェーン６ａと連れ動きしながら外れ、前記スライダー５ａは、前記傾斜溝４に案内され斜め下方に下がり本体１ａの端部で止まり、前記チェーン６ａだけが引き出されて、前記物干し用の竿１７等、吊り物が引き上げられ、この状態で前記チェーン６ａに取付けた前記握り玉１２の引き操作を止め、チェーン誘導部７に沿って、左側方に摺り寄せたままで引きを緩めると、前記スライダー５ａに設けた前記凸部５ｂが、前記物干し用の竿１７等、吊り物の重みによる引き戻しで、前記チェーン６ａに連れ動きしながら、斜め上方で前記スライダー５ａは押し止められ、前記凸部５ｂは、前記チェーン６ａの連結間の穴部１９に挿入され、前記物干し用の竿１７等、吊り物が下方に下がるのを途中で係止させ、再び前記握り玉１２を下方に引き操作すると係止が解除され、前記チェーン６ａだけが上下自在に動き、前記物干し用の竿１７等、吊り物の上げ下げができ、任意の位置で係止と解除の作動を容易にすることを特徴とする。【０００６】  本発明の昇降チェーンストッパーの特徴を列記すると
（１）室内の天井下部に取付けたままの状態で、物干し用の竿等、吊り物を上部に吊り上げて係止するので、下方のスペースの有効利用ができる。
（２）物干し用の竿等、吊り物の上げ下げが調整でき、任意の位置で係止と解除の作動を容易にすることができる。
（３）吊り上げた場合、引きだされたチェーンの端に取付けたクリップを、手の届く上方にはさみ固定できるので垂れ下がったチェーンが邪魔にならない。
（４）チェーンの引き操作が簡単である、といった点が上げられる。【０００７】  本発明の昇降チェーンストッパーの構造上重要な要素は、スライダー５ａ先端に設けた凸部５ｂとスライダー５ａの動きにある。スライダー５ａ先端に設けた凸部５ｂは、チェーン６ａの連結間の穴部１９に挿入し易いように下向きに角度をつけて先端を丸めてあり、スライダー５ａ先端に設けた凸部５ｂは、チェーン６ａの連結間の穴部１９を貫通した長さにする。【０００８】  請求項２記載のスライダーに設けた凸部は、正面視、水平、又は、右肩下がりの傾斜を備えているが、係止の状態からチェーンを引き操作するとき、もっとも作動しやすいのは、右肩下がりの傾斜を付けたものであり、チェーンの穴部より凸部が滑りながら、連れ動きしながら外れ、同時にスライダーは、傾斜溝に沿って斜め下方に下がり、チェーンの穴部より凸部が外れた直後から、さらに、下方に下がるように設定されている。又、凸部が正面視、水平の場合は、傾斜溝の傾斜角を垂直に近づけると、前記同様、作動しやすくなるが、スライダーの移動距離が長くなり、本体を縦長とすることで解決できる。【０００９】  請求項３記載のスライダー５ｃに設けた凸部５ｄは、正面視、水平、又は、右肩下がりの傾斜を備え二溝で、ボールチェーン６ｄ等の連結間の連結軸部２７に挿入しているが、係止の状態からチェーンを引き操作するとき、もっとも作動しやすいのは、右肩下がりの傾斜を付けたものであり、ボールチェーン６ｄ等の連結間の連結軸部２７より凸部５ｄが滑りながら、連れ動きしながら外れ、同時にスライダー５ｃは、傾斜溝４に沿って斜め下方に下がり、ボールチェーン６ｄ等の連結間の連結軸部２７より凸部５ｄが外れた直後から、さらに下方に下がるように設定されている
【発明の効果】
【００１０】  本発明の昇降チェーンストッパーは、一般家庭の室内、又は、ベランダ等の屋外で使用する吊り調整具であって、雨天日は室内で物干しができ、しかも天井近くまで吊り上げて係止するので下のスペースが有効利用できる。又、雨天日だけでなく天気のよい日でも室内で物干しができるので若い独身者やＯＬの方などサラリーマンには、ありがたい道具と思われる。
【発明を実施するための最良の形態】
【００１１】  本発明の昇降チェーンストッパーの具体的な実施の形態を添付図面に示した実施例に沿って述べる。【００１２】  図１は、昇降チェーンストッパーを使用した二点吊りの全体正面図で、レール部は仮想線で示している。
本発明の昇降チェーンストッパーは、対称の本体１ａ、１ｂを組合せ、（以下本体１ａで説明する。）ビス８ａとビス８ｂと固定具２１で固定し、下方１０ｂと上部側方１０ａと上部１０ｄを開口し、下方１０ｃとチェーン誘導部７を設けた本体１ａを天井下部に固定したレール２２の端部にネジ２３で取付け固定される。物干し用の竿１７等、吊り物は、その上部をレール２２に支持され、ネジ２３で固定されたブラケット９ｂに取付けたプーリー２ｂと、ネジ２３で固定されたブラケット９ｃに取付けたプーリー２ｃの下部に、チェーン６ｂとチェーン６ｃに、連結リング１１ｂとフック１８ｂと、連結リング１１ｃとフック１８ｃを設け、吊り下げられており、チェーン６ｂの他方側を中間のチェーン受け１６ａに通しチェーン６ｂとチェーン６ｃの一方の端を連結ブロック１４で連結固定しそこにチェーン６ａの一方を連結させチェーン受け１６ｂに通し他方側を上部側方１０ａから本体１ａ内部のＲ部３に通し垂下させ、本体１ａ下方１０ｃから引き出されたチェーン６ａの一部にストッパー１５を設け、下方に握り玉１２と連結リング１１ａとクリップ１３を取付けて、例えば、物干し用の竿１７等、吊り物のハンガー２０を掛け、洗濯物等を吊り上げて任意の位置で係止することができる。又、吊り下ろし過ぎた場合、チェーン６ａが凸部５ｂに噛み込み、係止と解除が不完全になる場合があるのでストッパー１５はスプリング等のクッション性のあるものを使用する。このように、物干し用の竿１７等、吊り物を水平に吊り作動ができ、任意の位置で係止と解除をできるようにした昇降チェーンストッパーを示す。【００１３】  図２（ａ）図は、昇降チェーンストッパー本体１ａの内部構造を明瞭にした正面図でブラケット９ａは仮想線で表している。
（ｂ）図は、（ａ）図におけるＡ−Ａ断面を示し本体１ｂとチェーン６ａは仮想線で表しチェーン６ａの連結間の穴部１９を示している。
（ａ）図は、前記スライダー５ａが前記傾斜溝４に案内され斜め下方に下がり本体１ａの端部で止まり、前記のチェーン６ａだけが引き出される状態を示している。【００１４】  図３（ａ）図は、昇降チェーンストッパー本体１ａの内部構造を明瞭にした正面図でブラケット９ａは仮想線で表している。
（ｂ）図は、（ａ）図におけるＡ−Ａ断面を示し本体１ｂとチェーン６ａは仮想線で表し連結間の穴部１９を示している。
（ａ）図は、前記スライダー５ａに設けた前記凸部５ｂが、前記物干し用の竿１７等、吊り物の重みによる引き戻しで、前記チェーン６ａに連れ動きしながら斜め上方で、前記スライダー５ａは押し止められ、前記凸部５ｂは、前記チェーン６ａの連結間の穴部１９に挿入され、前記物干し用の竿１７等、吊り物が、下方に下がるのを途中で係止した状態を示す。【００１５】  図４は、昇降チェーンストッパー本体１ａの内部構造を明瞭にした正面図でブラケット９ａは仮想線で表している。
チェーン６ａを左方向に摺り寄せ、チェーン誘導部７でスライダー５ａの凸部５ｂがチェーンの連結間の穴部１９に案内され作動する状態を表している。【００１６】  図５（ａ）は、昇降チェーンストッパー本体１ａの内部構造を明瞭にした正面図でブラケット９ａは仮想線で表している。
（ｂ）図は、対称の本体１ａ、１ｂの内部構造を明瞭にした正面図でブラケット９ａは仮想線で表している。
（ｃ）図は、（ａ）本体１ａの左側面図である。
（ｄ）図は、（ｂ）本体１ｂの右側面図である。【００１７】  図６（ａ）図は、ブラケット９ａの正面図である。対称の本体１ａ、１ｂを組合せ、固定する固定具２１の穴を示す。
（ｂ）図は、ブラケット９ａの右側面図である。
（ｃ）図は、ブラケット９ａの底面図である。天井下部のレール２２に取付けるネジ２３の穴を示す。【００１８】  図７（ａ）図は、スライダー５ａの正面図で凸部５ｂを示す。
（ｂ）図は、スライダーの斜視図である。
（ｃ）図は、固定具２１を示す。
（ｄ）図は、ビス８ａ，８ｂを示す。【００１９】  図８は、対称の本体１ａ、１ｂを組合せた部分斜視図で傾斜溝４とスライダー５ａの作動略図である。【００２０】  図９は、上記機能を備えた昇降チェーンストッパーであって、天井等２４にビス２３で固定し、チェーン６ａを本体１ａの下方１０ｂより導入し本体１ａ内部のＲ部３を通し下方１０ｃより引出しチェーンの端面に連結リング１１ｄを設け、チェーン６ａの端面を連結し、吊り物２５を下げると一点吊り昇降チェーンストッパーとしての実施例である。【００２１】  図１０図は、昇降チェーンストッパー本体１ａの内部構造を明瞭にした正面図でブラケット９ａは仮想線で表している。
前記スライダー５ａが前記傾斜溝４に案内され斜め下方に下がり本体１ａの端部で止まり、前記のチェーン６ａだけが引き出される状態を示している。【００２２】  図１１（ａ）図は、昇降チェーンストッパー本体１ａの内部構造を明瞭にした正面図でブラケット９ａは仮想線で表している。
（ｂ）図は、（ａ）図におけるＡ−Ａ断面を示し本体１ｂとチェーン６ａは仮想線で表し連結間の穴部１９を示している。
（ａ）図は、前記スライダー５ａに設けた前記凸部５ｂが、前記吊り物２５等、吊り物の重みによる引き戻しで、前記チェーン６ａに連れ動きしながら斜め上方で、前記スライダー５ａは押し止められ、前記凸部５ｂは、前記チェーン６ａの連結間の穴部１９に挿入され、前記吊り物２５等、吊り物が、下方に下がるのを途中で係止した状態を示す。【００２３】  図１２は、昇降チェーンストッパー本体１ａの内部構造を明瞭にした正面図でブラケット９ａは仮想線で表している。
チェーン６ａを左方向に摺り寄せ、チェーン誘導部７でスライダー５ａの凸部５ｂがチェーンの連結間の穴部１９に案内され作動する状態を表している。【００２４】  図１３は、昇降チェーンストッパーを使用した一点吊りの全体正面図で、ボールチェーン６ｄを使用した実施例である。
本発明の昇降チェーンストッパーは、対称の本体１ａ、１ｂを組合せ、（以下本体１ａで説明する。）ビス８ａとビス８ｂと固定具２１で固定し、下方１０ｂと上部側方１０ａと上部１０ｄを開口し、下方１０ｃとチェーン誘導部７を設けた本体１ａを天井下部２４にネジ２３で取付け固定される。ボールとボールの連結間の連結軸部２７とし、連結リング１１ｄと吊り物２５を表す。【００２５】  図１４は、昇降チェーンストッパー本体１ａの内部構造を明瞭にした正面図でブラケット９ａは仮想線で表している。
ボールチェーン６ｄと連結間の連結軸部２７とボールチェーン６ｄを示し、前記スライダー５ｄが前記傾斜溝４に案内され斜め下方に下がり本体１ａの端部で止まり、前記のボールチェーン６ｄだけが引き出される状態を示している。【００２６】  図１５（ａ）図は、昇降チェーンストッパー本体１ａの内部構造を明瞭にした正面図でブラケット９ａは仮想線で表している。
前記スライダー５ｃに設けた前記凸部５ｄが、前記吊り物２５等、吊り物の重みによる引き戻しで、前記チェーン６ｄに連れ動きしながら斜め上方で、前記スライダー５ｃは押し止められ、前記凸部５ｄは、前記ボールチェーン６ｄの連結間の連結軸部２７に挿入され、前記吊り物２５が、下方に下がるのを途中で係止した状態を示す。
（ｂ）図は、（ａ）図におけるＡ−Ａ断面を示し本体１ｂとボールチェーン６ｄは仮想線で表し、ボールとボールの連結間の連結軸部２７を示している。【００２７】  図１６は、昇降チェーンストッパー本体１ａの内部構造を明瞭にした正面図でブラケット９ａは仮想線で表している。
ボールチェーン６ｄを左方向に摺り寄せ、チェーン誘導部７でスライダー５ｃの凸部５ｄがボールチェーン６ｄの連結間の連結軸部２７に案内され作動する状態を表している。【００２８】  図１７（ａ）図は、スライダー５ｃの正面図で凸部５ｄを示す。
（ｂ）図は、スライダーの斜視図である。【００２９】  図１８（ａ）図は、天井等２４に取付けたカーテンレール２６等に溝２を挿入し使用する昇降チェーンストッパーで前記ボールチェーン使用も同様とする。
（ｂ）図は、（ａ）図の右側面図である。
【実施例１】
【００３０】  以下、本発明の実施例について説明する。【００３１】  ここで使用するチェーンは、市販の鉄チェーン２０Ｆクロームとし、対称の本体１ａ、１ｂはプラスチック、樹脂等を使用する。又、スライダー５ａの材質は一般鋼材ｃｐｃｃ等を使用する。【００３２】  図１に示した、本発明の１実施例に係る昇降チェーンストッパーの具体的な実施の形態を添付図面に示した実施例に沿って述べる。【００３３】  図１は、昇降チェーンストッパーを使用した二点吊りの外観図を示した正面図である。【００３４】  図１に示すように、本実施例の昇降チェーンストッパーは、対称の本体１ａ、１ｂを組合せ、（以下本体１ａで説明する。）ビス８ａとビス８ｂと固定具２１で固定し、下方１０ｂと上部側方１０ａと上部１０ｄを開口し、下方１０ｃとチェーン誘導部７を設けた本体１ａを天井下部に固定したレール２２の端部にネジ２３で取付け固定される。物干し用の竿１７等、吊り物は、その上部をレール２２に支持され、ネジ２３で固定されたブラケット９ｂに取付けたプーリー２ｂと、ネジ２３で固定されたブラケット９ｃに取付けたプーリー２ｃの下部に、チェーン６ｂとチェーン６ｃに、連結リング１１ｂとフック１８ｂと、連結リング１１ｃとフック１８ｃを設け、吊り下げられており、チェーン６ｂの他方側を中間のチェーン受け１６ａに通しチェーン６ｂとチェーン６ｃの一方の端を連結ブロック１４で連結固定しそこにチェーン６ａの一方を連結させ他方側をチェーン受け１６ｂに通し上部側方１０ａから本体１ａ内部の上方位置に設けたＲ部３に通し垂下させ、本体１ａの下方１０ｃから引き出されたチェーン６ａの一部にストッパー１５を設け、下方に握り玉１２と連結リング１１ａとクリップ１３を取付け、物干し用の竿１７等、吊り物を掛け、ハンガー２０を掛けて係止した状態を示している。【００３５】  図２（ａ）図は、本体１ａの内部構造を明瞭にした正面図である。
（ｂ）図は、（ａ）図におけるＡ−Ａ断面を示している。
（ａ）図は、前記スライダー５ａが前記傾斜溝４に案内され斜め下方に下がり本体１ａの端部で止まり前記チェーン６ａだけが引き出される状態を示している。
（ａ）図は、本体１ａの内部に設けた前記スライダー５ａの前記凸部５ｂが前記チェーンの前記連結間の穴部１９から外れ、前記チェーン６ａだけが引き出される状態を示している。前記チェーン６ａを本体１ａの上部側方１０ａより導入し、本体１ａ内部の上方位置に設けた前記Ｒ部３に通し垂下させ、本体１ａの下方１０ｃから引き出された前記チェーン６ａの一部に前記ストッパー１５を設け、下方に前記握り玉１２と前記連結リング１１ａと前記クリップ１３を取付け、前記本体１ａ内部の下方１０ｃ側に前記傾斜溝４と前記スライダー５ａを設け、前記スライダー５ａは前記傾斜溝４に沿って斜め上下移動自在に支持し、前記上部側方１０ａから導入した前記チェーン６ａとの間には前記スライダー５ａを連れ動きさせる凸部５ｂを設け、前記本体１ａの下方１０ｃから垂下している前記チェーン６ａに取付けた前記握り玉１２を手で下方に引くと、前記スライダー５ａに設けた、前記凸部５ｂが、前記チェーン６ａと連れ動きしながら外れ、前記スライダー５ａは前記傾斜溝４に案内され斜め下方に下がり、本体１ａの端部で止まり、前記チェーン６ａだけが引き出されて、前記物干し用の竿１７等、吊り物が引き上げられる状態を示している。この状態で前記チェーン６ａに取付けた前記握り玉１２の引き操作を止め、チェーン誘導部７に沿って、左側方に摺り寄せたままで引きを緩めると、前記スライダー５ａに設けた前記凸部５ｂが、前記物干し用の竿１７等、吊り物の重みによる引き戻しで、前記チェーン６ａと連れ動きしながら斜め上方で、前記スライダー５ａは押し止められ、前記凸部５ｂは、前記チェーン６ｃの連結間の穴部１９に挿入され、前記物干し用の竿１７等、吊り物が下方に下がるのを途中で係止させ再び前記握り玉１２を下方に引き操作すると係止が解除され前記チェーン６ａだけが上下自在に動き、前記物干し用の竿１７等、吊り物の上げ下げができる。【００３６】  図３（ａ）図は、上記の本体１ａの内部構造を明瞭にした正面図である。
（ｂ）図は、（ａ）図におけるＡ−Ａ断面を示している。
（ａ）図は、前記スライダー５ａに設けた前記凸部５ｂが、前記物干し用の竿１７等、吊り物の重みによる引き戻しで、前記チェーン６ａと連れ動きしながら斜め上方で、前記スライダー５ａは押し止められ、前記凸部５ｂは、前記チェーン６ａの連結間の穴部１９に挿入され、前記物干し用の竿１７等、吊り物が、下方に下がるのを途中で係止した状態を示す。【００３７】  図４は、昇降チェーンストッパー本体１ａの内部構造を明瞭にした正面図でブラケット９ａは仮想線で表している。
チェーン６ａを左方向に摺り寄せ、チェーン誘導部７でスライダー５ａの凸部５ｂがチェーンの連結間の穴部１９に案内され作動する状態を表している。【００３８】  図５は、昇降チェーンストッパー本体１ａの内部構造を明瞭にした正面図でブラケット９ａは仮想線で表している。
（ｂ）図は、対称の本体１ａ、１ｂの内部構造を明瞭にした正面図でブラケット９ａは仮想線で表している。
（ｃ）図は、（ａ）本体１ａの左側面図である。
（ｄ）図は、（ｂ）本体１ｂの右側面図である。【００３９】  図６（ａ）図は、ブラケット９ａの正面図である。本体１ａと固定するビス２１の穴を示す。
（ｂ）図は、ブラケット９ａの右側面図である。
（ｃ）図は、ブラケット９ａの底面図である。天井下部のレールに取付けるネジ２３の穴を示す。【００４０】  図７（ａ）図は、スライダー５ａの正面図で凸部５ｂを示す。
（ｂ）図は、スライダーの斜視図である。
（ｃ）図は、固定具２１を示す。
（ｄ）図は、ビス８ａ，８ｂを示す。【００４１】  図８（ａ）図は、対称の本体１ａ、１ｂを組合せた部分斜視図で傾斜溝４とスライダー５ａの作動略図である。
【実施例２】
【００４２】  図９に示した、本発明の２実施例に係る昇降チェーンストッパーの具体的な実施の形態を添付図面に示した実施例に沿って述べる。【００４３】  図９は、上記機能を備えた昇降チェーンストッパーであって、天井等２４にビス２３で固定し、チェーン６ａを本体１ａの下方１０ｂより導入し本体１ａ内部のＲ部３を通し下方１０ｃより引出しチェーンの端面に連結リング１１ｄを設け、チェーン６ａの端面を連結し、吊り物２５を下げると一点吊り昇降チェーンストッパーとして使用できる。【００４４】  図１０は、昇降チェーンストッパー本体１ａの内部構造を明瞭にした正面図でブラケット９ａは仮想線で表している。
前記スライダー５ａが前記傾斜溝４に案内され斜め下方に下がり本体１ａの端部で止まり、前記のチェーン６ａだけが引き出される状態を示している。【００４５】  図１１（ａ）図は、昇降チェーンストッパー本体１ａの内部構造を明瞭にした正面図でブラケット９ａは仮想線で表している。
（ｂ）図は、（ａ）図におけるＡ−Ａ断面を示し本体１ｂとチェーン６ａは仮想線で表し連結間の穴部１９を示している。
（ａ）図は、前記スライダー５ａに設けた前記凸部５ｂが、前記吊り物２６等、吊り物の重みによる引き戻しで、前記チェーン６ａに連れ動きしながら斜め上方で、前記スライダー５ａは押し止められ、前記凸部５ｂは、前記チェーン６ａの連結間の穴部１９に挿入され、前記吊り物２６等、吊り物が、下方に下がるのを途中で係止した状態を示す。【００４６】  図１２は、昇降チェーンストッパー本体１ａの内部構造を明瞭にした正面図でブラケット９ａは仮想線で表している。
チェーン６ａを左方向に摺り寄せ、チェーン誘導部７でスライダー５ａの凸部５ｂがチェーンの連結間の穴部１９に案内され作動する状態を表している。
【実施例３】
【００４７】  図１３に示した、本発明の３実施例に係る昇降チェーンストッパーの具体的な実施の形態を添付図面に示した実施例に沿って述べる。【００４８】  ここで使用するチェーンは、市販のボールチェーン５０ＣＲとし、対称の本体１ａ、１ｂはプラスチック、樹脂等を使用する。又、スライダー５ａの材質は一般鋼材ｓｐｃｃ等を使用する。【００４９】  図１３は、昇降チェーンストッパーを使用した一点吊りの全体正面図で、ボールチェーン６ｄを使用した実施例である。
本発明の昇降チェーンストッパーは、対称の本体１ａ、１ｂを組合せ、（以下本体１ａで説明する。）ビス８ａとビス８ｂと固定具２１で固定し、下方１０ｂと上部側方１０ａと上部１０ｄを開口し、下方１０ｃとチェーン誘導部７を設けた本体１ａを天井下部２４にネジ２３で取付け固定される。ボールとボールの連結間の連結軸部２７とし、連結リング１１ｄと吊り物２５を表す。【００５０】  図１４は、昇降チェーンストッパー本体１ａの内部構造を明瞭にした正面図でブラケット９ａは仮想線で表している。
ボールチェーン６ｄの連結間の連結軸部２７とボールチェーン６ｄを示し、前記スライダー５ｄが前記傾斜溝４に案内され斜め下方に下がり本体１ａの端部で止まり、前記のボールチェーン６ｄだけが引き出される状態を示している。【００５１】  図１５（ａ）図は、昇降チェーンストッパー本体１ａの内部構造を明瞭にした正面図でブラケット９ａは仮想線で表している。
（ｂ）図は、（ａ）図におけるＡ−Ａ断面を示し本体１ｂとボールチェーン６ｄは仮想線で表し、ボールとボールの連結間の連結軸部２７を示している。
図は、前記スライダー５ｃに設けた前記凸部５ｄが、前記吊り物２５等、吊り物の重みによる引き戻しで、前記チェーン６ｄに連れ動きしながら斜め上方で、前記スライダー５ｃは押し止められ、前記凸部５ｄは、前記ボールチェーン６ｄの連結間の連結軸部２７に挿入され、前記吊り物２５が、下方に下がるのを途中で係止した状態を示す。【００５２】  図１６（ａ）図は、昇降チェーンストッパー本体１ａの内部構造を明瞭にした正面図でブラケット９ａは仮想線で表している。
ボールチェーン６ｄを左方向に摺り寄せ、チェーン誘導部７でスライダー５ｃの凸部５ｄがボールチェーン６ｄの連結間の連結軸部２７に案内され作動する状態を表している。【００５３】  図１７（ａ）図は、スライダー５ｃの正面図で凸部５ｄを示す。
（ｂ）図は、スライダーの斜視図である。
【実施例４】
【００５４】  図１８に示した、本発明の４実施例に係る昇降チェーンストッパーの具体的な実施の形態を示した実施例である。【００５５】  図１８（ａ）図は、天井等２４に取付けたカーテンレール２６等に溝２を挿入し使用する昇降チェーンストッパーで前記ボールチェーンも同様とする。
【産業上の利用可能性】
【００５６】  ブラケットは一般鋼材ｓｐｃｃ等を使用して吊り下げ強度を確保し、対称の本体１ａ、１ｂをプラスチックとすることで金型製作が必要となるが、安価で大量生産が容易となる。【００５７】  一般家庭では、洗濯物等の吊り下げや、観葉植物、プランター、又は、額縁等を吊り下げて使用することができる。商店、マーケット等ではイベントのＰＲ用の看板、チラシ等の吊り下げや日替わりチラシ等、頻繁に変更が行われる場合は特に有効利用が可能である。
【図面の簡単な説明】
【００５８】
【図１】本発明の１実施例における昇降チェーンストッパーを使用した二点吊りの全体の正面図である。
【図２】本発明の１実施例における昇降チェーンストッパーを使用した二点吊りの本体１ａの正面図と断面図である。（ａ）図は、本体１ａの正面図でスライダーが下方に位置した状態である。（ｂ）図は、（ａ）図におけるＡ−Ａ断面図である。
【図３】本発明の１実施例における昇降チェーンストッパーを使用した二点吊りの本体１ａの正面図と断面図である。（ａ）図は、本体１ａの正面図でスライダー５ａが上方に位置し係止された状態である。（ｂ）図は、（ａ）図におけるＡ−Ａ断面図である。
【図４】チェーン誘導部７でスライダー５ａの凸部５ｂがチェーンの連結間の穴部１９に案内され作動する状態を表している。
【図５】（ａ）図は、本体１ａの内部構造を明瞭にした正面図でブラケット９ａは仮想線で表している。（ｂ）図は、対称の本体１ｂの内部構造を明瞭にした正面図でブラケット９ａは仮想線で表している。（ｃ）図は、（ａ）本体１ａの左側面図である。（ｄ）図は、（ｂ）本体１ｂの右側面図である。
【図６】（ａ）図は、ブラケット９ａの正面図である。（ｂ）図は、ブラケット９ａの右側面図である。（ｃ）図は、ブラケット９ａの底面図である。
【図７】（ａ）図は、スライダー５ａの正面図で凸部５ｂを示す。（ｂ）図は、スライダーの斜視図である。（ｃ）図は、固定具２１を示す。（ｄ）図は、ビス８ａ，８ｂを示す。
【図８】対称の本体１ａ、１ｂを組合せた部分斜視図で傾斜溝４とスライダー５ａの作動略図である。
【図９】本発明の２実施例における昇降チェーンストッパーを使用した一点吊りの全体の正面図である。
【図１０】本発明の２実施例における昇降チェーンストッパーを使用した一点吊りの本体１ａの内部構造を明瞭にした正面図でブラケット９ａは仮想線で表している。  前記スライダー５ａが本体１ａの端部で止まり、前記のチェーン６ａだけが引き出される状態を示している。
【図１１】は、昇降チェーンストッパーを使用した一点吊りの本体１ａの内部構造を瞭にした正面図でブラケット９ａは仮想線で表している。  スライダー５ａに設けた前記凸部５ｂが、前記チェーン６ａの連結間の穴部１９に挿され、前記吊り物２６等、吊り物が、下方に下がるのを途中で係止した状態を示す。（ｂ）図は、（ａ）図におけるＡ−Ａ断面を示し本体１ｂとチェーン６ａは仮想線で表し連結間の穴部１９を示している。
【図１２】図は、昇降チェーンストッパーを使用した一点吊りの本体１ａの内部構造を明瞭にした正面図でブラケット９ａは仮想線で表している。  チェーン誘導部７でスライダー５ａの凸部５ｂがチェーンの連結間の穴部１９に案内され作動する状態を表している。
【図１３】昇降チェーンストッパーを使用した一点吊りの全体正面図で、ボールチェーン６ｄを使用した実施例である。
【図１４】昇降チェーンストッパーを使用した一点吊りの本体１ａの内部構造を明瞭にした正面図でブラケット９ａは仮想線で表している。  ボールチェーン６ｄの連結間の連結軸部２７とボールチェーン６ｄを示し、前記スライダー５ｄが本体１ａの端部で止まり、前記のボールチェーン６ｄだけが引き出される状態を示している。
【図１５】（ａ）図は、昇降チェーンストッパーを使用した一点吊りの本体１ａの内部構造を明瞭にした正面図でブラケット９ａは仮想線で表している。（ｂ）図は、（ａ）図におけるＡ−Ａ断面を示し本体１ｂとボールチェーン６ｄは仮想線で表し、ボールとボールの連結間の連結軸部２７を示している。  前記ボールチェーン６ｄの連結間の連結軸部２７に挿入され、前記吊り物２５が、下方に下がるのを途中で係止した状態を示す。
【図１６】昇降チェーンストッパーを使用した一点吊りの本体１ａの内部構造を明瞭にした正面図でブラケット９ａは仮想線で表している。  チェーン誘導部７でスライダー５ｃの凸部５ｄがボールチェーン６ｄの連結間の連結軸部２７に案内され作動する状態を表している。
【図１７】昇降チェーンストッパーを使用した一点吊りのボールチェーン６ｄ仕様のスライダー５ｃを示す。（ａ）図は、スライダー５ｃの正面図で凸部５ｄを示す。（ｂ）図は、スライダーの斜視図である。
【図１８】（ａ）図は、天井２４等に取付けたカーテンレール２６等に溝２を挿入し使用する昇降チェーンストッパーを示す。（ｂ）図は、（ａ）図の右側面図である。
【符号の説明】
【００５９】１ａ        本体
１ｂ        本体
２          溝
２ｂ        プーリー
２ｃ        プーリー
３          Ｒ部
４          傾斜溝
５ａ        スライダー
５ｂ        凸部
５ｃ        スライダー
５ｄ        凸部
６ａ        チェーン
６ｂ        チェーン
６ｃ        チェーン
６ｄ        ボールチェーン
７          チェーン誘導部
８ａ        ビス
８ｂ        ビス
９ａ        ブラケット
９ｂ        ブラケット
９ｃ        ブラケット
１０ａ      上部側方開口部
１０ｂ      下方開口部
１０ｃ      下方開口部
１０ｄ      上部開口部
１１ａ      連結リング
１１ｂ      連結リング
１１ｃ      連結リング
１１ｄ      連結リング
１２        握り玉
１３        クリップ
１４        連結ブロック
１５        ストッパー
１６ａ      チェーン受け
１６ｂ      チェーン受け
１７        竿
１８ｂ      フック
１８ｃ      フック
１９        穴部
２０        ハンガー
２１        固定具用穴
２２        レール
２３        ネジ
２４        天井部
２５        吊り物
２６        カーテンレール
２７        連結軸部
【図１】
2006000628.tif 000003
【図２】
2006000628.tif 000004
【図３】
2006000628.tif 000005
【図４】
2006000628.tif 000006
【図５】
2006000628.tif 000007
【図６】
2006000628.tif 000008
【図７】
2006000628.tif 000009
【図８】
2006000628.tif 000010
【図９】
2006000628.tif 000011
【図１０】
2006000628.tif 000012
【図１１】
2006000628.tif 000013
【図１２】
2006000628.tif 000014
【図１３】
2006000628.tif 000015
【図１４】
2006000628.tif 000016
【図１５】
2006000628.tif 000017
【図１６】
2006000628.tif 000018
【図１７】
2006000628.tif 000019
【図１８】
2006000628.tif 000020